(57)【要約】【課題】  効率よく情報の収集を行うことが可能な情報提供システムを提供する。【解決手段】  情報提供システムが、端末に提供する情報を格納するデータベースと、データベースに格納された情報に対する端末からのアクセスを示すアクセスログを格納するアクセスログデータベースと、端末から送信されたユーザの属性を示す属性情報と、アクセスログとに基づいてデータベースから情報を検索する検索部と、検索された情報を端末に送信する送信部とを備える。【選択図】  図１
2006293845.tif 000002
【特許請求の範囲】
【請求項１】
端末に提供する情報を格納するデータベースと、
前記データベースに格納された情報に対する前記端末からのアクセスログを格納するアクセスログデータベースと、
前記端末から送信されたユーザの属性を示す属性情報と、前記アクセスログとに基づいて前記データベースから情報を検索する検索手段と、
前記検索された情報を前記端末に送信する送信手段とを備える情報提供システム。
【請求項２】
前記検索手段は、前記ユーザのそれぞれの属性に対応する前記情報のアクセス回数の和が所定の回数以上の情報を、前記端末に送信する情報として検索する請求項１記載の情報提供システム。
【請求項３】
端末に提供するリンクの情報を格納するデータベースと、
前記データベースに格納された前記リンクの情報に対する前記端末からのアクセスログを格納するアクセスログデータベースと、
前記データベースから検索されたリンクの情報に、前記端末から送信されたユーザの属性を示す属性情報と、前記アクセスログとに基づいて、前記リンクの情報の前記端末上での表示位置を指定する情報を付加する検索手段と、
前記表示位置を指定する情報が付加されたリンクの情報を前記端末に送信する送信手段と、
前記送信されたリンクの情報に付加された表示位置を指定する情報にしたがって、前記リンクの情報を前記端末上に表示する表示手段とを備える情報提供システム。
【請求項４】
前記検索手段は、前記ユーザのそれぞれの属性に対応する前記リンクの情報のアクセス回数の和に基づいて、前記リンクの情報の前記端末上での表示位置を指定する情報を付加する請求項３記載の情報提供システム。
【請求項５】
前記ユーザの属性は、ユーザの入社年次、ユーザの担当部品及びユーザの設計フェーズのうちの少なくともいずれか１つを含む請求項１又は２に記載の情報提供システム。
【請求項６】
前記アクセスログは、前記ユーザの属性ごとのアクセス回数を含む請求項１又は２記載の情報提供システム。
【発明の詳細な説明】
【技術分野】
【０００１】
本発明は、情報を提供する情報提供システムに関する。
【背景技術】
【０００２】
従来、自動車などの設計過程において、設計者の端末に、設計のための画像情報や、設計のためのホームページのリンクの情報を提供するシステムが知られている。この従来のシステムでは、設計者自身が必要な情報を入手する。例えば、設計者は、新規車両開発時に、各車両を開発するために必要な情報を、ファイル検索機能を利用して入手する。
【０００３】
また、従来のシステムでは、設計者は、開発に必要なリンク先を自ら選択して情報を入手する。例えば、設計者は、分類別に分けられている車両開発に必要な情報のリンク集の中からリンク先を選択する。
【特許文献１】特開２００３−２８１２０５号公報
【特許文献２】特開平７−９３３９５号公報
【特許文献３】特開平７−３６９４４号公報
【特許文献４】特開２００３−８５３３８号公報
【発明の開示】
【発明が解決しようとする課題】
【０００４】
しかしながら、従来のシステムは、設計のための情報が互いに関連していない。また、従来のシステムは、情報を個人が所有している場合が多い。そのため、従来の技術は、設計者が情報を入手しずらい。
【０００５】
また、従来のシステムは、設計者が自ら、勘と経験を頼りに必要としている情報をファイル名などから推測し、収集している。また、従来のシステムは、分類されたリンクの情報を集めたリンク集におけるリンクの情報の数が膨大である。なお、本明細書において、リンクの情報とは、ファイル位置を示す情報である。そのため、設計者が、情報を収集したり、膨大なリンク集から必要とするリンクの情報を見つけることが困難であった。
【０００６】
また、従来のシステムは、取得したファイルの内容、リンク先が、実際に自分の要求するものであるかどうかは、設計者は、その内容を確認するまで判断できない。そのため、以上から、従来のシステムは、設計者が行う情報の収集は非効率的であった。そのため、従来のシステムは、設計者が情報を入手する際に相当の時間を必要としている。
【０００７】
本発明は上記事情に鑑みなされたもので、効率よく情報の収集を行うことが可能な情報提供システムを提供することを目的とする。
【課題を解決するための手段】
【０００８】
本発明の情報提供システムは、
端末に提供する情報を格納するデータベースと、
前記データベースに格納された情報に対する前記端末からのアクセスログを格納するアクセスログデータベースと、
前記端末から送信されたユーザの属性を示す属性情報と、前記アクセスログとに基づい
て前記データベースから情報を検索する検索手段と、
前記検索された情報を前記端末に送信する送信手段とを備える。
【０００９】
また、本発明の情報提供システムは、
前記検索手段は、前記ユーザのそれぞれの属性に対応する前記情報のアクセス回数の和が所定の回数以上の情報を、前記端末に送信する情報として検索する。
【００１０】
また、本発明の情報提供システムは、
端末に提供するリンクの情報を格納するデータベースと、
前記データベースに格納された前記リンクの情報に対する前記端末からのアクセスログを格納するアクセスログデータベースと、
前記データベースから検索されたリンクの情報に、前記端末から送信されたユーザの属性を示す属性情報と、前記アクセスログとに基づいて、前記リンクの情報の前記端末上での表示位置を指定する情報を付加する検索手段と、
前記表示位置を指定する情報が付加されたリンクの情報を前記端末に送信する送信手段と、
前記送信されたリンクの情報に付加された表示位置を指定する情報にしたがって、前記リンクの情報を前記端末上に表示する表示手段とを備える。
【００１１】
また、本発明の情報提供システムは、
前記検索手段は、前記ユーザのそれぞれの属性に対応する前記リンクの情報のアクセス回数の和に基づいて、前記リンクの情報の前記端末上での表示位置を指定する情報を付加する。
【００１２】
また、本発明の情報提供システムは、
前記ユーザの属性は、ユーザの入社年次、ユーザの担当部品及びユーザの設計フェーズのうちの少なくともいずれか１つを含む。
【００１３】
また、本発明の情報提供システムは、
前記アクセスログは、前記ユーザの属性ごとのアクセス回数を含む。
【００１４】
このように、本発明の情報提供システムによれば、データベースに格納された情報をユーザに提供する際に、アクセスログとユーザの属性とに基づいてデータベースから情報を検索してユーザの端末に送信するため、ユーザにとって有用な情報を提供することができ、ユーザは、効率よい情報の収集を行うことが可能となる。
【００１５】
また、本発明の情報提供システムによれば、検索手段が、ユーザのそれぞれの属性に対応する情報のアクセス回数の和が所定の回数以上の情報を、端末に送信する情報として検索することから、アクセス回数が多い情報を検索してユーザに有用な情報を提供することができ、ユーザは、効率よい情報の収集を行うことが可能となる。
【００１６】
また、本発明の情報提供システムによれば、データベースに格納されたリンクの情報をユーザに提供する際に、リンクの情報に、アクセスログとユーザの属性とに基づいて決定されるリンクの情報の表示位置を指定する情報を付加して、このリンクの情報をユーザの端末に送信するため、ユーザにとって有用なリンクの情報を端末上で見やすい位置に表示することができ、ユーザは、効率よい情報の収集を行うことが可能となる。
【００１７】
また、本発明の情報提供システムによれば、検索手段は、ユーザのそれぞれの属性に対応するリンクの情報のアクセス回数の和に基づいて、リンクの情報の端末上での表示位置を指定する情報を付加するため、アクセス回数が多いリンクの情報を、ユーザにとって、
端末上で見やすい位置に表示することができ、ユーザは、効率よい情報の収集を行うことが可能となる。
【００１８】
また、本発明の情報提供システムによれば、ユーザの属性は、ユーザの入社年次、ユーザの担当部品及びユーザの設計フェーズのうちの少なくともいずれか１つを含むことから、ユーザにとって有用性の高い情報の提供や、リンクの情報の表示位置の指定を容易に行うことができ、ユーザは、効率よい情報の収集を行うことが可能となる。
【００１９】
また、本発明の情報提供システムによれば、アクセスログは、ユーザの属性ごとのアクセス回数を含むため、ユーザのそれぞれの属性を考慮した情報の提供や、リンクの情報の表示位置の指定を容易に行うことができ、ユーザは、効率よい情報の収集を行うことが可能となる。
【発明の効果】
【００２０】
このように、本発明の情報提供システムによれば、設計者の属性に応じて、設計者に提供する情報を選択し、端末に表示するリンクの情報の端末上での表示位置を変更するため、設計者が情報の収集を効率よく行うことができる。
【発明を実施するための最良の形態】
【００２１】
以下、図面を参照して本発明を実施するための最良の形態について説明する。以下の実施の形態の構成は例示であり、本発明は実施の形態の構成に限定されない。まず、図１及び図２を参照して、本発明の情報提供システムの一実施形態の概略について説明する。
【００２２】
図１に示されるように、まず、本発明の情報提供システムの一実施形態は、ユーザによる情報へのアクセスログを収集する。情報には、各種コンテンツやリンク先のホームページが含まれる。なお、本実施形態では、ユーザとは設計者のことである。
【００２３】
収集されるユーザ個々の情報には、ユーザを識別するＩＤ、ユーザの入社年次、ユーザの担当する担当部品、現在の設計フェーズなどが含まれる。このユーザの情報は、ユーザ属性情報として、アクセスログデータベースに格納される。そして、ユーザが、例えば各種コンテンツに対して、登録、更新、削除などの参照を行うと、そのアクセスログがアクセスログデータベースに格納される。また、ユーザが、例えばリンク集の中のリンクにアクセスして情報を参照した場合にも、そのアクセスログがアクセスログデータベースに格納される。すなわち、本実施形態では、アクセスログを、コンテンツ等にアクセスしたユーザの属性と共に、蓄積する。
【００２４】
次に、本発明の情報提供システムの一実施形態は、図２に示されるように、各ユーザに最適な情報を提供する。本発明の情報提供システムの一実施形態は、ユーザの属性の情報である、ＩＤ、入社年次、担当部品、設計フェーズと、アクセスログデータベースに格納されている情報とに基づいて、各種コンテンツからユーザに必要な情報を提供する。さらに、本発明の情報提供システムの一実施形態は、リンク集の中のリンクの情報をユーザにとって最適な配置に並び替えて、ユーザの端末に表示させる。
【００２５】
本発明の情報提供システムの一実施形態が、ユーザに対して提供する最適な情報であるか否かを判定する方法、及びリンクの並び替えを行う方法は、例えば以下のように行われる。本実施形態は、各種コンテンツ及びリンクへのアクセス回数を属性情報毎に記録する。そして、ユーザの各属性の情報に対応するそれぞれのアクセス回数を足し、その合計が所定回数以上の情報をユーザに提供する。また、その合計が多いリンクほどユーザにとって重要なリンクであるとする。そして、この重要なリンクをユーザの端末の画面において見やすい位置に配置する。
【００２６】
上記動作について図３を参照してさらに説明する。図３は、本発明の情報提供システムの一実施形態の判定処理の動作の概略図である。図３に示されるように、コンテンツＡには、年次１のユーザによりＸ１回のアクセスがあり、年次２のユーザによりＸ２回のアクセスがあり、年次３のユーザによりＸ３回のアクセスがある。また、図３に示されるように、コンテンツＢには、年次１のユーザによりＸ４回のアクセスがあり、年次２のユーザによりＸ５回のアクセスがあり、年次３のユーザによりＸ６回のアクセスがある。
【００２７】
また、図３に示されるように、コンテンツＡには、設計段階がフェーズ１のユーザによりＹ１回のアクセスがあり、フェーズ２のユーザによりＹ２回のアクセスがあり、フェーズ３のユーザによりＹ３回のアクセスがある。また、コンテンツＢには、設計段階がフェーズ１のユーザによりＹ４回のアクセスがあり、フェーズ２のユーザによりＹ５回のアクセスがあり、フェーズ３のユーザによりＹ６回のアクセスがある。
【００２８】
そして、情報を提供するユーザの属性が、年次が年次２であり、フェーズがフェーズ１である場合、コンテンツＡの値として、Ｘ２とＹ１を足した値を算出する。そして、この足した値を、ユーザに提供する情報か否かの判定、及び、リンクの情報を端末において表示させる配置をどのようにするかの判定に使用する。なお、図３では、コンテンツの値を算出する際に使用するユーザの属性として、年次と設計のフェーズを例示したが、ユーザの担当部品を使用するとしても良いし、そのほかの属性を使用するとしても良いし、これらを任意に組み合わせて使用するとしても良い。
【００２９】
次に、本発明の情報提供システムの構成について図面を参照して説明する。図４は、本発明の情報提供システムの一実施形態の構成図である。図４に示されるように、本実施形態は、設計者であるユーザに使用される端末４０１と、サーバ４０２とを備える。端末４０１と、サーバ４０２とはネットワーク４０３により接続される。なお、本実施形態では、端末とサーバとの数は図４に示されるようにそれぞれ１つに限定されるものではなく、１以上の任意の数であって良い。
【００３０】
次に、図４に示される端末の内部構成について図５を参照して説明する。図５は、本発明の情報提供システムの一実施形態の端末の内部構成のブロック図である。図５に示されるように、端末は、設計者が自己の属性情報などを入力するための入力部５０１と、入力部５０１に入力された情報をサーバに送信するための送信部５０２と、サーバから送信された情報を受信する受信部５０４と、受信部５０４が受信した情報を表示する表示部５０３とを備える。
【００３１】
次に、図４に示されるサーバの内部構成について図６を参照して説明する。図６は、本発明の情報提供システムの一実施形態のサーバの内部構成のブロック図である。図６に示されるように、サーバは、端末から送信された情報を受信する受信部６０１と、受信部６０１が受信した設計者の属性の情報と、アクセスログデータベース６０５に格納された情報とに基づいてデータベース６０３から情報を検索し、検索した情報に対して処理を行う検索部６０２と、設計者に送信する情報やリンクの情報を格納するデータベース６０３と、データベース６０３に格納された情報に対するアクセスに基づいて、アクセスログデータベース６０５に格納されているアクセスログを更新する更新部６０４と、アクセスログを格納するアクセスログデータベース６０５と、検索部６０２が検索し、処理した情報を端末に送信する送信部６０６とを備える。
【００３２】
次に、本発明の情報提供システムの一実施形態の動作について図７及び図８を参照して説明する。図７及び図８は、本発明の情報提供システムの一実施形態の動作のフローチャートである。
【００３３】
まず、端末において設計者がアクセスする情報を指定し、又は、リンク先を指定して情報を取得する場合について図７を参照して説明する。まず、図７に示されるように、端末は、アクセスする情報を指定する情報、又は、リンク先の情報を入力する（Ｓ７０１）。そして、端末は入力された情報をサーバに送信する（Ｓ７０２）。
【００３４】
次に、サーバは、端末から送信された情報を受信する（Ｓ７０３）。サーバは、端末から受信した情報に基づいてデータベースを検索する（Ｓ７０４）。サーバは、検索した情報を端末に送信する（Ｓ７０５）。サーバは、データベースに格納されている情報へのアクセスに基づいてアクセスログを更新する（Ｓ７０６）。端末は、サーバから送信された情報を受信する（Ｓ７０７）。端末は、受信した情報を表示する（Ｓ７０８）。
【００３５】
次に、端末から入力された設計者の属性情報に基づいて、サーバから設計者にとって必要な情報が提供される場合、又は、サーバから設計者にとって便利にリンクが配置されて表示されるようにリンクの情報が送信される場合について図８を参照して説明する。
【００３６】
まず、端末には、設計者から属性情報が入力される（Ｓ８０１）。この属性情報には、例えば、設計者のＩＤ、入社年次、設計者の担当部品、設計フェーズなどが含まれる。もちろん、本実施形態では、設計者の属性情報として、他の情報を含めるとしても良い。そして、端末は、入力された情報をサーバに送信する（Ｓ８０２）。
【００３７】
サーバは、端末から送信された情報を受信する（Ｓ８０３）。サーバは、端末から受信した情報に基づいて検索を行う（Ｓ８０４）。この検索動作について以下説明する。まず、設計者に情報を提供する場合、本実施形態では、設計者にとって有用な情報を提供する。そのため、図３に示されるように、それぞれの情報に、設計者の属性ごとのアクセス回数を記録する。本実施形態は、それぞれの情報ごとに、設計者の属性に対応した属性のアクセス回数の和をとり、そのアクセス回数の和が所定の回数以上の情報を設計者に提供する情報とする。
【００３８】
また、設計者にリンク集を提供する場合、上記アクセス回数の和に基づいて設計者にとって有用なリンク先のリンクの情報を設計者に見やすく表示させる。例えば、上記アクセス回数の和に基づいてリンクの情報を端末の表示において最上位に配置する。また、例えば、上記アクセス回数の和に基づいてリンクの情報を端末上で左上に配置するように表示する。また、例えば、リンクの情報を上記アクセス回数の和に基づいて端末の表示画面の中央に配置する。もちろん、設計者にとって便宜な他の配置方法を用いてもよい。また、この配置の指定は、サーバの検索部が、端末に送信するリンクの情報に含まれる、端末上での配置を指定する情報を上記アクセス回数の和に基づいて変更することにより行われる。
【００３９】
このように、本実施形態は、リンクの情報が設計者にとって他のリンクの情報よりも有用か否かを判定するため、それぞれのリンクの情報ごとに、設計者の属性に対応した属性のアクセス回数の和をとる。そして、そのアクセス回数の和により、そのリンクの情報が設計者にとって他のリンクの情報よりも有用か否かを判定する。本実施形態は、アクセス回数の和が多いほど、設計者にとって有用なリンクの情報であると判定する。
【００４０】
次に、サーバは、検索した情報、又は端末上での表示の配置が指定されたリンクの情報を端末に送信する（Ｓ８０５）。そして、端末は、これらの情報を受信する（Ｓ８０６）。端末は、この受信した情報を表示する（Ｓ８０７）。リンクの情報を受信した場合、端末は、サーバの指定した配置にしたがって画面上にリンクの情報を表示する。
【００４１】
ここで、Ｓ８０７において端末に表示される画面について図９を参照して説明する。図９は、本発明の情報提供システムの一実施形態の端末に表示される画面の概略図である。図９の（ａ）は、シェル設計者参照時の画面を示し、図９の（ｂ）には、ランプ設計者参照時の画面を示す。
【００４２】
図９の（ａ）には、設計支援ツールである、パラメトリック設計のリンク９０１と、ランプ法規システムのリンク９０２とが表示されている。図９の（ａ）では、パラメトリック設計のリンク９０１がランプ法規システムのリンク９０２よりも画面上で上に表示されている。
【００４３】
一方、図９の（ｂ）には、パラメトリック設計のリンク９０１と、ランプ法規システムのリンク９０２とが表示されている。図９の（ｂ）では、パラメトリック設計のリンク９０１がランプ法規システムのリンク９０２よりも下に表示されている。これは、図９の（ｂ）は、ランプ設計者が参照している場合の表示画面であり、ランプ設計者にとっては、パラメトリック設計のリンク９０１よりもランプ法規システムのリンク９０２のほうが有用性が高いことを示している。
【００４４】
以上のように、本発明の情報提供システムの一実施形態は、設計者の属性に応じて、設計者に提供する情報を選択する。また、本発明の情報提供システムの一実施形態は、設計者の属性に応じて、端末に表示するリンクの情報の配置を変更する。よって、本発明の情報提供システムの一実施形態は、設計者の属性に応じた情報の提供やリンクの情報の表示を行うことができるため、設計者が情報の収集を効率よく行うことができる。
【図面の簡単な説明】
【００４５】
【図１】本発明の情報提供システムの一実施形態の概略図である。
【図２】本発明の情報提供システムの一実施形態の概略図である。
【図３】本発明の情報提供システムの一実施形態の判定処理の動作の概略図である。
【図４】本発明の情報提供システムの一実施形態の構成図である。
【図５】本発明の情報提供システムの一実施形態の端末の内部構成のブロック図である。
【図６】本発明の情報提供システムの一実施形態のサーバの内部構成のブロック図である。
【図７】本発明の情報提供システムの一実施形態の動作のフローチャートである。
【図８】本発明の情報提供システムの一実施形態の動作のフローチャートである。
【図９】本発明の情報提供システムの一実施形態の端末において表示される画面の概略図である。
【符号の説明】
【００４６】
４０１  端末
４０２  サーバ
４０３  ネットワーク
５０１  入力部
５０２  送信部
５０３  表示部
５０４  受信部
６０１  受信部
６０２  検索部
６０３  データベース
６０４  更新部
６０５  アクセスログデータベース
６０６  送信部
９０１  パラメトリック設計のリンク
９０２  ランプ法規システムのリンク
【図１】
2006293845.tif 000003
【図２】
2006293845.tif 000004
【図３】
2006293845.tif 000005
【図４】
2006293845.tif 000006
【図５】
2006293845.tif 000007
【図６】
2006293845.tif 000008
【図７】
2006293845.tif 000009
【図８】
2006293845.tif 000010
【図９】
2006293845.tif 000011